(57)【要約】【課題】鉄骨梁を鉄筋コンクリート柱に対して確実強固にしかも簡易に接合する。【解決手段】鉄筋コンクリート柱１に一体に設けた鉄筋コンクリート造の根巻部４に鉄骨梁３の端部を根入れして接合するに際し、根巻部に配筋するスターラップ１０として半環状の下スターラップ１０ａと上スターラップ１０ｂとを対として用い、下主筋９ａおよび下スターラップ１０ａのみの配筋を先行し、下スターラップ１０ａの内側に鉄骨梁３の端部を配置した後、上主筋９ｂおよび上スターラップ１０ｂを配筋し、コンクリートを打設する。下主筋と下スターラップ、上主筋と上スターラップとを先組みしておく。あるいは、鉄骨梁を中央部鉄骨と端部鉄骨とに分割しておき、根巻部に端部鉄骨を先行して配設し、その端部鉄骨に対して中央部鉄骨をボルト締結する。【選択図】      図３
2004270258.tif 000002
【特許請求の範囲】
【請求項１】
鉄筋コンクリート造を基本としつつ梁の一部を鉄骨造として、鉄筋コンクリート柱に一体に設けた鉄筋コンクリート造の根巻部に鉄骨梁の端部を根入れすることでその鉄骨梁を鉄筋コンクリート柱に接合する構造の複合構造建物の施工方法であって、
根巻部に配筋するスターラップとして、側部どうしが互いに重合して閉鎖環状をなすそれぞれ半環状の下スターラップと上スターラップとを対として用いることとして、
根巻部に下主筋および下スターラップのみの配筋を先行して行い、
下スターラップの内側に鉄骨梁の端部を配置した後、
根巻部に上主筋および上スターラップを配筋し、
柱型枠および根巻部型枠にコンクリートを打設して鉄骨梁の端部を根巻部に根入れした状態で鉄筋コンクリート柱および根巻部を一体に形成することを特徴とする複合構造建物の施工方法。
【請求項２】
下主筋と下スターラップとを先組みしておき、上主筋と上スターラップとを先組みしておくことを特徴とする請求項１記載の複合構造建物の施工方法。
【請求項３】
鉄筋コンクリート造を基本としつつ梁の一部として鉄骨梁を採用し、鉄筋コンクリート柱に一体に設けた鉄筋コンクリート造の根巻部に鉄骨梁の端部を根入れすることでその鉄骨梁を鉄筋コンクリート柱に接合する構造の複合構造建物の施工方法であって、
鉄骨梁を中央部鉄骨と端部鉄骨とに分割しておき、
根巻部に主筋およびスターラップを配筋するとともに端部鉄骨を先行して配設し、
端部鉄骨に対して中央部鉄骨をボルト締結により接合し、
柱型枠および根巻部型枠にコンクリートを打設して端部鉄骨の端部を根巻部に根入れした状態で鉄筋コンクリート柱および根巻部を一体に形成することを特徴とする複合構造建物の施工方法。
【発明の詳細な説明】
【０００１】
【発明の属する技術分野】
本発明は建物の施工方法に係わり、特に、鉄筋コンクリート造を基本としつつ梁の一部を鉄骨造とする複合構造建物の施工方法に関する。
【０００２】
【従来の技術】
周知のように、建物の構造としては鉄筋コンクリート造（ＲＣ造）、鉄骨鉄筋コンクリート造（ＳＲＣ造）、鉄骨造（Ｓ造）による純ラーメン構造が最も一般的である。ＲＣ造はコストの点で最も有利であるが、経済的なスパンは６ｍ程度であるので柱を密に設けざるを得ず、それが制約となって大空間を確保し難いし、設計の自由度は必ずしも高くはない。Ｓ造やＳＲＣ造では大スパンが可能であるが、ＲＣ造に較べてコスト的には不利であるし、規模によっては工期も長くかかる。
【０００３】
そのため、ＲＣ造を基本としつつ経済的に大スパンを実現し得る合理的な構造として、たとえば特許文献１に示されるように、柱をＲＣ造とし、梁の一部をＳ造とするという複合的な構造も提案されている。
【０００４】
【特許文献１】
特開平７−２５２８８２号公報
【０００５】
ところで、この種の複合構造では、鉄筋コンクリート柱に対して異種の構造部材である鉄骨梁を接合する必要があることから、その接合構造が複雑にならざるを得ない。特に上記の特許文献１に示される複合構造の場合には、梁の主体となる中央鉄骨の端部を鉄筋コンクリート造部（ＲＣ造部）に埋設しておくとともに、柱梁接合部（仕口部）の左右に位置する双方のＲＣ造部どうしを連結筋および梁下端筋により連結した構成の複合梁を採用し、その複合梁を柱頭に架設し、中央鉄骨の先端どうしをスパン中央で接合し、ＲＣ造部に梁上端筋を配筋した後に、柱梁接合部およびＲＣ造部にコンクリートを打設する、という構法を採用している。
【０００６】
【発明が解決しようとする課題】
しかし、特許文献１に示される構法では、上記のような特殊にして複雑な構成の複合梁を採用し、かつ作業手順が上記のように煩雑であることから、必ずしも効率的な施工を行い得るものではない。
【０００７】
なお、鉄骨梁を鉄筋コンクリート柱に対して接合するための他の構造として、仕口部に特殊な接合部材を介装したり、鉄骨梁の端部を鉄筋コンクリート柱に直接的に差し込んだ状態で接合すること等も考えられるが、いずれも仕口部の構造が複雑になってその施工が煩雑となるし、また充分な接合強度を確保できない場合があるので、必ずしも有効ではない。
【０００８】
上記事情に鑑み、本発明は鉄骨梁を鉄筋コンクリート柱に対して確実強固にしかも簡易に接合することを可能として、そのような複合構造建物を効率的に施工し得る有効適切な施工方法を提供することを目的とする。
【０００９】
【課題を解決するための手段】
請求項１の発明は、鉄筋コンクリート造を基本としつつ梁の一部を鉄骨造として、鉄筋コンクリート柱に一体に設けた鉄筋コンクリート造の根巻部に鉄骨梁の端部を根入れすることでその鉄骨梁を鉄筋コンクリート柱に接合する構造の複合構造建物の施工方法であって、根巻部に配筋するスターラップとして、側部どうしが互いに重合して閉鎖環状をなすそれぞれ半環状の下スターラップと上スターラップとを対として用いることとして、根巻部に下主筋および下スターラップのみの配筋を先行して行い、下スターラップの内側に鉄骨梁の端部を配置した後、根巻部に上主筋および上スターラップを配筋し、柱型枠および根巻部型枠にコンクリートを打設して鉄骨梁の端部を根巻部に根入れした状態で鉄筋コンクリート柱および根巻部を一体に形成することを特徴とする。
【００１０】
請求項２の発明は、請求項１の発明において、下主筋と下スターラップとを先組みしておき、上主筋と上スターラップとを先組みしておくことを特徴とする。
【００１１】
請求項３の発明は、同じく鉄筋コンクリート造を基本としつつ梁の一部として鉄骨梁を採用し、鉄筋コンクリート柱に一体に設けた鉄筋コンクリート造の根巻部に鉄骨梁の端部を根入れすることでその鉄骨梁を鉄筋コンクリート柱に接合する構造の複合構造建物の施工方法であって、鉄骨梁を中央部鉄骨と端部鉄骨とに分割しておき、根巻部に主筋およびスターラップを配筋するとともに端部鉄骨を先行して配設し、端部鉄骨に対して中央部鉄骨をボルト締結により接合し、柱型枠および根巻部型枠にコンクリートを打設して端部鉄骨の端部を根巻部に根入れした状態で鉄筋コンクリート柱および根巻部を一体に形成することを特徴とする。
【００１２】
【発明の実施の形態】
図１〜図４は本発明の第１実施形態を示すものである。図１〜図３は本実施形態の施工方法により施工された建物の架構を示すもので、この建物の構造は、鉄筋コンクリート柱（ＲＣ柱）１と鉄筋コンクリート梁（ＲＣ梁）２とによる鉄筋コンクリート造（ＲＣ造）を基本とするものであるが、大スパンが必要とされる梁のみをＨ形鋼からなる鉄骨梁（Ｓ梁）３を採用した複合構造のものであり、そのＳ梁３の端部をＲＣ柱１と一体に形成されたＲＣ造の根巻部４に根入れすることで、Ｓ梁３を根巻部４を介してＲＣ柱１に対して接合するものとしている。
【００１３】
図２に詳細を示すように、ＲＣ柱１における柱鉄筋は主筋にフープ筋を巻回した先組柱鉄筋ユニット５が採用され、上下階の先組柱鉄筋ユニット５どうしがカプラー６を介して順次連結されるようになっている。カプラー６としては適宜の継手が採用可能であるが、主筋としてネジ筋を採用してカプラー６としてネジスリーブタイプのものを採用することが好ましい。
【００１４】
同様に、ＲＣ梁２における梁鉄筋としては、主筋（上主筋および下主筋）にスターラップを巻回した先組梁鉄筋ユニット７が採用され、スパンの中央部において主筋どうしがカプラー８を介して連結されるようになっている。この場合も、主筋としてネジ筋を採用してカプラー８としてネジスリーブタイプのものを採用することが好ましい。
【００１５】
図３に示すように、Ｓ梁３の端部が根入れされる根巻部４には、ＲＣ梁２と同様に主筋９（下主筋９ａおよび上主筋９ｂ）とスターラップ１０とが配筋されている。スターラップ１０は、いずれも半環状をなす下スターラップ１０ａと上スターラップ１０ｂとが組み合わせられることで、双方の側部どうしが互いに重合して閉鎖環状をなすいわゆるツインスターラップが採用されている。そして、下主筋９ａと下スターラップ１０ａとを予め先組みして鉄筋ユニット１１ａ（図４参照）としておき、上主筋９ｂと上スターラップ１０ｂとを予め先組みして鉄筋ユニット１１ｂ（図３〜図４参照）としておくことが好ましい。
【００１６】
なお、本実施形態では、図２に示しているように、Ｓ梁３の一端側（図示右端側）の根巻部４ａは外周に位置するＲＣ柱１に一体に設けられているので、この根巻部４ａには上記の鉄筋ユニット１１ａ、１１ｂをそのまま配筋して仕口部に定着すれば良い。Ｓ梁３の他端側（図示左端側）の根巻部４ｂは内部に位置するＲＣ柱１に設けられていて、その根巻部４ｂにはこのＲＣ柱１を挟んでさらにＲＣ梁２が接合されているので、図３に示したように、この根巻部４ｂにおいては上主筋９ｂと上スターラップ１０ｂからなる鉄筋ユニット１１ｂをＲＣ梁２の先組梁鉄筋ユニット７に対してカプラー１２により連結すれば良いが、この根巻部４ｂにおける下主筋９ａとしては、ＲＣ梁２の下主筋を根巻部４ｂまで延長させてその延長部をそのまま下主筋９ａとし、その延長部に下スターラップ１０ａを先組しておくと良い（つまり、先組梁鉄筋ユニット７に対して下鉄筋ユニット１１ａを予め一体に組み付けた構成としておけば良い）。
【００１７】
上記構造の建物の施工手順を図４を参照して説明する。（ａ）に示すように、下階の施工時に先行施工されている先組柱鉄筋ユニット５の上端部に、当階の先組柱鉄筋ユニット５をカプラー６により連結して建て込み、柱型枠１３を取り付ける。また、梁型枠１４および根巻部型枠１５を組み立てて仮設サポート１６により適宜仮支持し、根巻部４ｂにおける下主筋９ａと下スターラップ１０ａとを一体に組み付けた上記の先組梁鉄筋ユニット７を配置し、かつ根巻部４ａには鉄筋ユニット１１ａ（下主筋９ａおよび下スターラップ１０ａ）を組み込む。つまり、この時点では根巻部４ａ、４ｂには下主筋９ａおよび下スターラップ１０ａのみを配筋し、上主筋９ｂおよび上スターラップ１０ｂの配筋は後施工とする。
【００１８】
（ｂ）に示すようにＳ梁３の両端部を根巻部型枠１５に落とし込み、仮設サポート１６により仮支持する。そして、この時点で根巻部４ａ、４ｂに上主筋９ｂと上スターラップ１０ｂからなる上鉄筋ユニット１１ｂを配筋し、根巻部４ａにおいてはその上鉄筋ユニット１１ｂを先組梁鉄筋ユニット７にカプラー１２により連結する。
【００１９】
しかる後に、床型枠を組み立て、床配筋を行い、各型枠内にコンクリートを打設して、ＲＣ柱１、ＲＣ梁２、根巻部４、スラブを一体に形成する。以上により、Ｓ梁３が根巻部４を介してＲＣ柱１に対して接合された状態で当階の躯体の施工が完了する。
【００２０】
以上の施工方法によれば、Ｓ梁３の端部をＲＣ造の根巻部４に直接的に根入れすることで、Ｓ梁３をＲＣ柱１に対して確実強固に接合することができるし、その作業も実質的に純ＲＣ造の施工手順と大差なく、極めて施工性に優れるものであり、ＲＣ柱１とＳ梁３との複合構造建物の施工法として最適である。
【００２１】
図５〜図７は本発明の第２実施形態を示すものである。これは、図５〜図６に示すように、第１実施形態と同様にＲＣ柱１とＲＣ梁２とによるＲＣ造を基本として一部の梁をＳ梁３としたものであるが、そのＳ梁３を中央部鉄骨３ａと端部鉄骨３ｂとに３分割しておき、根巻部４の配筋の際に端部鉄骨３ｂの配設を先行して行い、その端部鉄骨３ｂに対して中央部鉄骨３ａをボルト締結するようにしたものである。
【００２２】
すなわち、本実施形態では、図７（ａ）に示すように、ＲＣ柱１とＲＣ梁２の配筋の際に根巻部４の配筋の全てを行い、かつその根巻部４には端部鉄骨３ｂを先行して配設してしまう。この際、端部鉄骨３ｂの長さは根巻部４の長さよりやや長い程度で充分であるので、根巻部４への配設作業は支障なく容易に行い得る。
【００２３】
そして、（ｂ）に示すように端部鉄骨３ｂ間に中央部鉄骨３ａをスプライスプレート１７を介してハイテンションボルトによりボルト締結し、以降は第１実施形態と同様の手順でコンクリートを打設する。
【００２４】
本実施形態においても、Ｓ梁３の端部をＲＣ造の根巻部４に直接的に根入れすることで、Ｓ梁３を根巻部４を介してＲＣ柱１に対して確実強固に接合できることはもとより、第１実施形態に比較すればＳ梁３の架設作業が２段階にはなるものの、第１実施形態のように根巻部４の配筋を２段階に分けて行う必要がないので、第１実施形態と同様に効率的な施工が可能である。
【００２５】
【発明の効果】
請求項１の発明は、鉄筋コンクリート柱に一体に設けた鉄筋コンクリート造の根巻部に鉄骨梁の端部を根入れすることでその鉄骨梁を鉄筋コンクリート柱に接合するに際し、根巻部に配筋するスターラップとして半環状の下スターラップと上スターラップとを対として用い、下主筋および下スターラップのみの配筋を先行して行い、下スターラップの内側に鉄骨梁の端部を配置した後、上主筋および上スターラップを配筋するようにしたので、鉄骨梁を鉄筋コンクリート柱に対して確実強固に接合することができるし、何等煩雑な作業を必要とせず、極めて施工性に優れる。
【００２６】
請求項２の発明は、下主筋と下スターラップとを先組みしておき、上主筋と上スターラップとを先組みしおくので、根巻部の配筋作業をより効率的に行うことができる。
【００２７】
請求項３の発明は、同じく鉄筋コンクリート柱に一体に設けた鉄筋コンクリート造の根巻部に鉄骨梁の端部を根入れすることでその鉄骨梁を鉄筋コンクリート柱に接合するに際し、鉄骨梁を中央部鉄骨と端部鉄骨とに分割しておき、根巻部に主筋およびスターラップを配筋するとともに端部鉄骨を先行して配設し、その端部鉄骨に対して中央部鉄骨をボルト締結により接合するようにしたので、鉄骨梁鉄筋コンクリート柱に対して確実強固に接合することができるし、何等煩雑な作業を必要とせず極めて施工性に優れるものである。
【図面の簡単な説明】
【図１】本発明の第１実施形態を示す図であって、鉄筋コンクリート柱と鉄骨梁とによる複合構造建物の架構を示す平面図である。
【図２】同、要部拡大図である。
【図３】同、仕口部の拡大図である。
【図４】同、施工手順を示す図である。
【図５】本発明の第２実施形態を示す図であって、鉄筋コンクリート柱と鉄骨梁とによる複合構造建物の架構を示す平面図である。
【図６】同、要部拡大図である。
【図７】同、施工手順を示す図である。
【符号の説明】
１  鉄筋コンクリート柱（ＲＣ柱）
２  鉄筋コンクリート梁（ＲＣ梁）
３  鉄骨梁（Ｓ梁）
３ａ  中央部鉄骨
３ｂ  端部鉄骨
４（４ａ、４ｂ）  根巻部
５  先組柱鉄筋ユニット
６  カプラー
７  先組梁鉄筋ユニット
８  カプラー
９  主筋
９ａ  下主筋
９ｂ  上主筋
１０  スターラップ
１０ａ  下スターラップ
１０ｂ  上スターラップ
１１ａ、１１ｂ  先組鉄筋ユニット
１２  カプラー
１３  柱型枠
１４  梁型枠
１５  根巻部型枠
１６  仮設サポート
１７  スプライスプレート
【図１】
2004270258.tif 000003
【図２】
2004270258.tif 000004
【図３】
2004270258.tif 000005
【図４】
2004270258.tif 000006
【図５】
2004270258.tif 000007
【図６】
2004270258.tif 000008
【図７】
2004270258.tif 000009